(57)【要約】【課題】  制御装置と接続され、撮像した画像を該制御装置を介してネットワークに送信可能なシステムにおいて利用される撮像装置に関して、長時間の撮影に対する耐久性が低い場合であっても、当該システムに利用できるようにすることを目的とする。【解決手段】  第２のＰＣとの通信を行う第１のＰＣに接続され、撮像した画像を第１のＰＣを介して第２のＰＣに送信可能な撮像装置であって、第１のＰＣに対して第２のＰＣからの通信接続要求があった場合、時間計測を開始する工程（ステップＳ３０５）と、前記工程（ステップＳ３０５）による時間計測の結果に基づいて、電源をオフにする電源オフ工程（ステップＳ３０６）とを備える。【選択図】  図４
2005354526.tif 000002
【特許請求の範囲】
【請求項１】
ネットワークとの通信を行う制御装置に接続され、撮像した画像を該制御装置を介して該ネットワークに送信可能な撮像装置であって、
前記制御装置に対して前記ネットワークから通信接続要求があった場合に、時間計測を開始する時間計測手段と、
前記時間計測手段による時間計測の結果に基づいて、電源をオフにする電源オフ手段と
を備えることを特徴とする撮像装置。
【請求項２】
ネットワークとの通信を行う制御装置に接続され、撮像した画像を該制御装置を介して該ネットワークに送信可能な撮像装置であって、
前記撮像装置内の温度を計測する温度計測手段と、
前記温度計測手段による温度計測の結果に基づいて、時間計測を行う時間計測手段と、
前記時間計測手段による時間計測の結果に基づいて、電源をオフにする電源オフ手段と
を備えることを特徴とする撮像装置。
【請求項３】
前記電源オフ手段は、
前記時間計測手段による時間計測の結果、所定の設定時間が経過したと判断された場合に、電源をオフにすることを特徴とする請求項１または２に記載の撮像装置。
【請求項４】
前記電源オフ手段は、
前記時間計測手段による時間計測の結果、所定の設定時間が経過したと判断された場合であって、かつ、前記制御装置と前記ネットワークとの間の通信接続が正常でない場合に、電源をオフにすることを特徴とする請求項１または２に記載の撮像装置。
【請求項５】
前記制御装置と前記ネットワークとの間の通信接続が確立されているか否かを周期的に確認する確認手段を更に備え、
前記時間計測手段は、前記確認手段により前記制御装置と前記ネットワークとの間の通信接続が確立されていることが確認された場合には、前記時間計測をリセットし、再度時間計測を行うことを特徴とする請求項１に記載の撮像装置。
【請求項６】
前記設定時間を設定する設定手段を更に備えることを特徴とする請求項３に記載の撮像装置。
【請求項７】
前記制御装置より電源オフの指示があった場合、前記電源オフ手段は、前記時間計測の結果に関わらず電源をオフにすることを特徴とする請求項１または２に記載の撮像装置。
【請求項８】
ネットワークとの通信を行う制御装置に接続され、撮像した画像を該制御装置を介して該ネットワークに送信可能な撮像装置における制御方法であって、
前記制御装置に対して前記ネットワークから通信接続要求があった場合に、時間計測を開始する時間計測工程と、
前記時間計測工程による時間計測の結果に基づいて、電源をオフにする電源オフ工程と
を備えることを特徴とする制御方法。
【請求項９】
ネットワークとの通信を行う制御装置に接続され、撮像した画像を該制御装置を介して該ネットワークに送信可能な撮像装置における制御方法であって、
前記撮像装置内の温度を計測する温度計測工程と、
前記温度計測工程による温度計測の結果に基づいて、時間計測を行う時間計測工程と、
前記時間計測工程による時間計測の結果に基づいて、電源をオフにする電源オフ工程と
を備えることを特徴とする制御方法。
【発明の詳細な説明】
【技術分野】
【０００１】
本発明は、パーソナルコンピュータ等の制御装置と通信可能に接続される撮像装置に関するものである。
【背景技術】
【０００２】
特許文献１には、インターネットを介して遠隔地のビデオカメラを制御するカメラ制御システムが提案されている。
【特許文献１】特開平１０−４２２７９号公報
【発明の開示】
【発明が解決しようとする課題】
【０００３】
しかしながら、上記カメラ制御システムでは、ビデオカメラの耐久性の低下を防止する方法について考慮されていない。そのため、長時間の撮影に対する耐久性が高いビデオカメラを使用する必要があり、コストが高くなる。
【０００４】
また、上記カメラ制御システムでは、ビデオカメラを制御する制御装置で実行されるオペレーティングシステムがフリーズした場合、或いは、ビデオカメラを制御するためのアプリケーションがハングアップした場合においてどのようにビデオカメラの電源をオフにするかについても考慮されていない。
【０００５】
本発明は上記課題に鑑みてなされたものであり、制御装置と接続され、撮像した画像を該制御装置を介してネットワークに送信可能なシステムにおいて利用される撮像装置に関して、長時間の撮影に対する耐久性が低い場合であっても、当該システムに利用できるようにすることを目的とする。
【課題を解決するための手段】
【０００６】
上記の目的を達成するために本発明に係る撮像装置は以下のような構成を備える。即ち、
ネットワークとの通信を行う制御装置に接続され、撮像した画像を該制御装置を介して該ネットワークに送信可能な撮像装置であって、
前記制御装置に対して前記ネットワークから通信接続要求があった場合に、時間計測を開始する時間計測手段と、
前記時間計測手段による時間計測の結果に基づいて、電源をオフにする電源オフ手段とを備える。
【発明の効果】
【０００７】
本発明によれば、制御装置と接続され、撮像した画像を該制御装置を介してネットワークに送信可能なシステムにおいて利用される撮像装置に関して、長時間の撮影に対する耐久性が低い場合であっても、当該システムに利用できるようになる。
【発明を実施するための最良の形態】
【０００８】
以下、図面を参照して本発明の好適な実施形態を説明する。
【０００９】
［第１の実施形態]
図２は、本発明の第１の実施形態に係る撮像装置を備えるカメラ制御システムの構成を示す図である。図２において、２０１はローカルカメラ制御システム、２０５はインターネット、２０６はリモートカメラ制御システムである。また、ローカルカメラ制御システム２０１は、撮像装置の一例であるデジタルビデオカメラ（ＤＶＣ）２０２、制御装置の一例であるパーソナルコンピュータ（ＰＣ）２０３及びディスプレイ２０４によって構成されている。また、リモートカメラ制御システム２０６は、撮像装置の一例であるデジタルビデオカメラ（ＤＶＣ）２０７、制御装置の一例であるパーソナルコンピュータ（ＰＣ）２０８及びディスプレイ２０９から構成されている。
【００１０】
ＰＣ２０３には、ローカルカメラ制御アプリケーションと、ローカル通信アプリケーションとがインストールされている。ローカルカメラ制御アプリケーションは、ＤＶＣ２０２又はＤＶＣ２０７を制御する機能を有するアプリケーションである。ローカル通信アプリケーションは、ＤＶＣ２０２で撮影された画像をＰＣ２０８にインターネット２０５を介して送信する機能と、ＤＶＣ２０７で撮影された画像をＰＣ２０８からインターネット２０５を介して受信する機能を有する。
【００１１】
また、ＰＣ２０８には、リモートカメラ制御アプリケーションと、リモート通信アプリケーションとがインストールされている。リモートカメラ制御アプリケーションは、ＤＶＣ２０７又はＤＶＣ２０２を制御する機能を有するアプリケーションである。リモート通信アプリケーションは、ＤＶＣ２０７で撮影された画像をＰＣ２０３にインターネット２０５を介して送信する機能と、ＤＶＣ２０２で撮影された画像をＰＣ２０３からインターネット２０５を介して受信する機能を有する。
【００１２】
ＤＶＣ２０２で撮影された画像（動画、静止画を含む）は、ＰＣ２０３に入力され、インターネット２０５を介してＰＣ２０８に送信され、ディスプレイ２０９に表示される。また、ＤＶＣ２０７で撮影された画像（動画、静止画を含む）は、ＰＣ２０８に入力され、インターネット２０５を介してＰＣ２０３に送信され、ディスプレイ２０４に表示される。
【００１３】
図１は、図２に示すＤＶＣ２０２の構成を示す図である。図１において、１０１はマイクロフォン部、１０２は音声信号処理部、１０３はレンズ部、１０４はＣＣＤ、ＣＭＯＳセンサなどのイメージセンサを有する撮像素子、１０５は画像処理部、１０６は圧縮伸張部、１０７は記録再生部、１０８は記録再生ヘッド、１０９は磁気テープなどの記録媒体、１１０はストリーム処理部、１１１はデジタルインターフェース部（以下、Ｄ−Ｉ／Ｆ部と称する）、１１２は制御部、１１３は電源制御部である。
【００１４】
図１において、マイクロフォン部１０１を通して音声信号処理部１０２に入力された音声信号は圧縮伸張部１０６に入力される。また、レンズ部１０３により結像され、撮像素子１０４から出力される画像信号は同様に圧縮伸張部１０６に入力される。
【００１５】
撮影動作時には圧縮伸張部１０６は圧縮動作を行う。圧縮伸張部１０６では、例えば、記録媒体記録用にＤＶ圧縮処理、Ｄ−Ｉ／Ｆ部１１１出力用にＭＰＥＧ−２規格又はＭＰＥＧ−４規格に準拠した圧縮処理が施される。圧縮された画像信号及び音声信号は、記録再生部１０７において記録処理が施された後、ヘッド１０８を介して記録媒体１０９に記録される。一方、圧縮された画像信号及び音声信号は、パケット化されるべくストリーム処理部１１０に入力され、それぞれパケット化された後、Ｄ−Ｉ／Ｆ部１１１から外部に出力される。
【００１６】
また、再生動作時には圧縮伸張部１０６は伸張動作を行う。本実施形態では、例えば、記録媒体１０９にはＤＶ圧縮処理が施されたデータが記録されている。ヘッド１０８によって再生された上記ＤＶ信号は、記録再生部１０７によって再生処理が施され、圧縮伸張部１０６においてＤＶ伸張処理が行われる。ＤＶ伸張処理後の画像信号は、不図示の表示装置に送信され表示されると共に、Ｄ−Ｉ／Ｆ部１１１出力用にＭＰＥＧ−４の圧縮処理が施される。ＭＰＥＧ−４圧縮された画像信号はパケット化されるべくストリーム処理部１１０に入力され、それぞれパケット化された後、Ｄ−Ｉ／Ｆ部１１１から外部に出力される。
【００１７】
制御部１１２は、所定時間を計時するタイマーを有する。パーソナルコンピュータからのタイマー始動命令がＤ−Ｉ／Ｆ部１１１において受信されると、該命令は制御部１１２に入力され、所定時間の計時が開始される。所定時間が経過した場合、制御部１１２は電源制御部１１３に電源のオフを指示する。所定時間は、たとえば、８時間、１２時間、１６時間、２４時間が考えられる。また、所定時間は、ユーザが自由に設定できるようにしてもよい。
【００１８】
次に、図３のシークエンスチャート図を参照して図２に示す接続形態の場合のＤＶＣ２０２の動作について説明する。なお、本明細書で参照するシークエンスチャート図は、ＩＴＵ−Ｔ  Ｒｅｃｏｍｍｅｎｄａｔｉｏｎ  Ｚ．１２０  Ｍｅｓｓａｇｅ  Ｓｅｑｕｅｎｃｅ  Ｃｈａｒｔ（ＭＳＣ）規格に準ずる。
【００１９】
図３は本実施形態に係るＤＶＣ２０２の通常の動作を示すシークエンス図である。図３において、まずＰＣ２０８からインターネット２０５を介してＰＣ２０３への接続要求が送信される（ステップＳ３０１）。インターネット（２０２）を介して該接続要求が受信されると、ＰＣ２０３は、ＬＡＮ、無線ＬＡＮ、ＩＥＥＥ１３９４−１９９５規格又はＵＳＢ２．０規格に準拠したシリアルバス等の伝送路を介してＤＶＣ２０２へタイマー始動要求を送信する（ステップＳ３０２）。タイマーの始動が可能な場合、ＤＶＣ２０２はＰＣ２０３へ該タイマー始動要求の受諾を示すレスポンスを送信するとともに（ステップＳ３０３）、ＤＶＣ２０２内部のタイマーを始動する（ステップＳ３０５）。なお、タイマー始動要求の受諾を示すレスポンスを受信したＰＣ２０３は、ＰＣ２０８に接続確認を送信する（ステップＳ３０４）。
【００２０】
次にＰＣ２０３から、ＤＶＣ２０２へ電源オフ要求が送信されると（ステップＳ３０６）、ＤＶＣ２０２は、上記ＤＶＣ２０２内部のタイマーを停止させ（ステップＳ３０６）、上記電源オフ要求の受諾を示すレスポンスをＰＣ２０３へ送信するとともに（ステップＳ３０７）、該ＤＶＣ２０２自身の電源をオフにする（ステップＳ３０８）。
【００２１】
次に、図４を参照して上記ＰＣ２０３においてオペレーティングシステム（以下、ＯＳと称する）のフリーズ、ローカルカメラ制御アプリケーションのハングアップ等が原因で上記電源オフ要求（ステップＳ３０６）が送信できない場合におけるＤＶＣ２０２の動作について説明する。
【００２２】
図４において、上記と同様に、まずＰＣ２０８からインターネット２０５を介してＰＣ２０３への接続要求が送信される（ステップＳ３０１）。該接続要求が受信されると、ＰＣ２０８は、ＬＡＮ、無線ＬＡＮ、ＩＥＥＥ１３９４−１９９５規格又はＵＳＢ２．０規格に準拠したシリアルバス等の伝送路を介してＤＶＣ２０２へタイマー始動要求を送信する（ステップＳ３０２）。タイマーの始動が可能な場合、ＤＶＣ２０２はＰＣ２０３へ該タイマー始動要求の受諾を示すレスポンスを送信するとともに（ステップＳ３０３）、ＤＶＣ２０２内部のタイマーを始動する（ステップＳ３０５）。ＯＳのフリーズ、ローカルカメラ制御アプリケーションのハングアップなどが原因でＰＣ２０３が電源オフ要求を送信できない場合には、ＤＶＣ２０２内部のタイマーがタイムアウトする（ステップＳ３０６）。該タイムアウトが起こると、本実施形態に係るＤＶＣ２０２は、該ＤＶＣ２０２自身の電源をオフにする（ステップＳ３０８）。
【００２３】
以上の説明から明らかなように、本実施形態によれば、設定時間以上の長時間の撮影を回避することが可能となり、長時間の撮影に対する耐久性の低い撮像装置であっても上記システムに適用することができるようになる。
【００２４】
［第２の実施形態］
上記第１の実施形態では、ＰＣ２０３とＰＣ２０８との通信接続が確立している状態にあっても、所定時間経過してしまうと一方的にＤＶＣ２０２の電源がオフにされてしまうこととなる。そこで、第２の実施形態では、ＤＶＣ２０２の電源をオフにする前に、ＰＣ２０３とＰＣ２０８との通信接続が確立しているか否かを確認するように構成する。
【００２５】
図５を参照して本実施形態に係るＤＶＣ２０２の動作について説明する。図５において、まずＰＣ２０８からインターネット２０５を介してＰＣ２０３への接続要求が送信される（ステップＳ５０１）。インターネット２０５を介して該接続要求が受信されると、ＰＣ２０３は、ＬＡＮ、無線ＬＡＮ、ＩＥＥＥ１３９４−１９９５規格又はＵＳＢ２．０規格に準拠したシリアルバス等の伝送路を介してＤＶＣ２０２へタイマー始動要求を送信する（ステップＳ５０２）。タイマーの始動が可能な場合、ＤＶＣ２０２はＰＣ２０３へ該タイマー始動要求の受諾を示すレスポンスを送信するとともに（ステップＳ５０３）、ＤＶＣ２０２内部のタイマーを始動する（ステップＳ５０５）。なお、タイマー始動要求の受諾を示すレスポンスを受信したＰＣ２０３は、ＰＣ２０８に接続確認を送信する（ステップＳ５０４）。
【００２６】
タイマーがタイムアウトすると（ステップＳ５０６）、ＤＶＣ２０２はＰＣ２０３へ、接続が確立されているかどうか確認するための接続確認メッセージを送信するとともに（ステップＳ５０７）、ＤＶＣ２０２内部のタイマーを始動する（ステップＳ５０８）。ＰＣ２０３において、ＯＳのフリーズ、ローカルカメラ制御アプリケーションのハングアップなどが原因で上記接続確認メッセージに対して応答できない場合には、上記タイマーがタイムアウトすることになる（ステップＳ５０９）。該タイマーがタイムアウトすると、ＤＶＣ２０２はＤＶＣ２０２の電源をオフにする（ステップＳ５１０）。
【００２７】
以上の説明から明らかなように、本実施形態によれば、通信接続要求を受信してから所定時間が経過後に電源をオフにするか否かを判定することができるので、長時間の長時間の撮影を回避しつつ、利用者がシステムを利用している最中に撮像装置の電源がオフにされてしまうといった不都合をも回避することが可能となる。
【００２８】
［第３の実施形態］
第３の実施形態では、所定時間が経過するごとに電源をオフにするか否かを判定する構成について説明する。
【００２９】
図６を参照して本実施形態に係るＤＶＣ２０２の動作について説明する。図６において、ＰＣ２０８からインターネット２０５を介してＰＣ２０３への接続要求が送信される（ステップＳ６０１）。インターネット２０５を介して該接続要求が受信されると、ＰＣ２０３は、ＬＡＮ、無線ＬＡＮ、ＩＥＥＥ１３９４−１９９５規格又はＵＳＢ２．０規格に準拠したシリアルバス等の伝送路を介してＤＶＣ２０２へタイマー始動要求を送信する（ステップＳ６０２）。タイマーの始動が可能な場合、ＤＶＣ２０２はＰＣ２０３へ該タイマー始動要求の受諾を示すレスポンスを送信する（ステップＳ６０３）。なお、タイマー始動要求の受諾を示すレスポンスを受信したＰＣ２０３は、ＰＣ２０８に接続確認を送信する（ステップＳ６０４）。
【００３０】
次にＤＶＣ２０２は、ＤＶＣ２０２内部のタイマーを始動させるとともに（ステップＳ６０５）、ＰＣ２０３へ接続確認メッセージを送信し（ステップＳ６０６）、ＰＣ２０３からの接続確認応答が返ってきた場合には（ステップＳ６０７）、上記タイマーをオフする（ステップＳ６０８）といった動作を定期的に繰り返すことにより（ステップＳ６０９〜Ｓ６１４）、ＰＣ２０３の状態を監視する。ＰＣ２０３において、ＯＳのフリーズ、ローカルカメラ制御アプリケーションのハングアップなどが原因で上記接続確認メッセージに対して応答できない場合には、上記タイマーがタイムアウトする（ステップＳ６１５）。該タイマーがタイムアウトすると、本実施形態のＤＶＣ２０２はＤＶＣ２０２の電源をオフにする（ステップＳ６１６）。なお、図６では、タイマーがひとつしかない構成をとっているが、複数のタイマーを用いても良いことは言うまでも無い。
【００３１】
以上の説明から明らかなように、本実施形態によれば、所定時間が経過するごとに電源をオフにするか否かを判定することができるので、長時間の長時間の撮影を回避しつつ、利用者がシステムを利用している最中に撮像装置の電源がオフにされてしまうといった不都合をも回避することが可能となる。
【００３２】
[第４の実施形態]
第４の実施形態では、ＤＶＣ２０２の温度状態に応じて電源をオフにする構成を説明する。
【００３３】
図７は、本発明の第４の実施形態に係るＤＶＣ２０２の構成を示すブロック図である。なお、図７において、図１と同一番号は同一の機能を示す。図７において、７１４はレンズ鏡筒内の温度を検出する温度センサである。温度センサ７１４は、例えばサーミスタ、熱電対、焦電型赤外線センサ、サーモパイル、弾性表面波（Surface Acoustic Wave, SAW）温度センサ、水晶温度センサなどを含む回路から構成される。つまり、温度センサ７１４は、レンズ鏡筒内の温度を検出する構成であればどのような構成であってもよい。
【００３４】
温度センサ７１４からの出力が、予め定められた一定の閾値よりも高い温度を示す場合には、制御部１１２は、Ｄ−Ｉ／Ｆ部１１１を介してＰＣ２０３に温度が高くなっていることを通知するメッセージを送信する。このメッセージを受信したＰＣ２０３は、ＤＶＣ２０２に対して、電源をオフにするためのコマンドを送信する。該コマンドは、Ｄ−Ｉ／Ｆ部１１１を介して制御部１１２に入力される。制御部１１２は、該コマンドに基づき、電源制御部１１３に電源のオフを指示する。この動作によって、ＤＶＣ２０２の電源がオフにされるようになっている。
【００３５】
温度センサ７１４からの出力が、予め定められた一定の閾値よりも高い温度を示す場合には、制御部１１２は、Ｄ−Ｉ／Ｆ部１１１を介してＰＣ２０３に温度が高くなっていることを通知するメッセージを送信する。通常は、該メッセージに対して、ＰＣ２０３から電源をオフにするためのコマンドがＤＶＣ２０２に送信されるが、所定時間、該コマンドを受信できなかった場合には、制御部１１２は、電源制御部１１３に電源のオフを指示する。この動作によって、ＤＶＣ２０２の電源がオフにされるようになっている。
【００３６】
次に、図２及び図８を用いて本実施形態に係るＤＶＣ２０２の動作について説明する。本実施形態においても、第１の実施形態と同様に、図２のごとく接続される。
【００３７】
図８は、高温時の通常動作を示すシークエンスチャート図である。上記温度センサ７１４が予め定められた閾値よりも高温を示す値を出力すると、ＤＶＣ２０２からＰＣ２０３へ高温を示すメッセージが送信されるとともに（ステップＳ８０１）、ＤＶＣ２０２内部のタイマーが始動される（ステップＳ８０２）。該メッセージに基づいてＰＣ２０３は、ＤＶＣ２０２へ電源オフ要求を送信する（ステップＳ８０３）。ＤＶＣ２０２は、該要求への受諾レスポンスをＰＣ２０３へ返すとともに（ステップＳ８０５）、該ＤＶＣ２０２自身の電源をオフにする（ステップＳ８０５）。この動作によって、該ＤＶＣ２０２の電源がオフにされるようになっている。
【００３８】
次に、図９を用いて本実施形態に係るＤＶＣ２０２の高温時における動作について説明する。図９は、ＰＣ２０３において、ＯＳのフリーズ、ローカルカメラ制御アプリケーションのハングアップなどが原因で上記接続確認メッセージに対して応答できない場合のＤＶＣ２０２の動作を示すシークエンスチャート図である。
【００３９】
上記温度センサ７１４が予め定められた閾値よりも高温を示す値を出力すると、ＤＶＣ２０２からＰＣ２０３へ高温を示すメッセージが送信されるとともに（ステップＳ８０１）、ＤＶＣ２０２内部のタイマーが始動され（ステップＳ８０２）、ＰＣ２０３からの電源オフ要求を待機する。ＰＣ２０３において、ＯＳのフリーズ、ローカルカメラ制御アプリケーションのハングアップなどが原因で該電源オフ要求が送信できない場合、上記タイマーはタイムアウトを起こす（ステップＳ８０４）。該ＤＶＣ２０２は、該タイムアウトに基づき、該ＤＶＣ２０２自身の電源をオフにする（ステップＳ８０６）。この動作によって、該ＤＶＣ２０２の電源がオフにされるようになっている。
【００４０】
以上の説明から明らかなように、本実施形態によれば、ＤＶＣ２０２内の温度が設定値以上になったから所定時間が経過された後にＤＶＣ２０２の電源をオフにするか否かを判定することができるので、高温下における長時間の撮影を回避することが可能となり、長時間の撮影に対する耐久性の低い撮像装置であっても上記システムに適用することができるようになる。
【００４１】
［第５の実施形態］
上記第４の実施形態では、ＤＶＣ２０２内の温度が一定値以上になってから所定時間が経過した後であれば、ＰＣ２０３とＰＣ２０８との通信接続が確立している状態にあっても一方的にＤＶＣ２０２の電源がオフにされてしまうこととなる。そこで、第５の実施形態では、ＤＶＣ２０２の電源をオフにする前にＰＣ２０３とＰＣ２０８との通信接続が確立が確立しているか否かを確認するように構成する。
【００４２】
次に、図１０を用いて本実施形態に係るＤＶＣ２０２の高温時における動作について説明する。図１０は、ＰＣ２０３において、ＯＳのフリーズ、ローカルカメラ制御アプリケーションのハングアップなどが原因で上記接続確認メッセージに対して応答できない場合のＤＶＣ２０２の動作を示すシークエンスチャート図である。
【００４３】
上記温度センサ７１４が予め定められた閾値よりも高温を示す値を出力すると、ＤＶＣ２０２からＰＣ２０３へ高温を示すメッセージが送信されるとともに（ステップＳ１００１）、ＤＶＣ２０２内部のタイマーが始動され（ステップＳ１００２）、ＰＣ２０３からの電源オフ要求を待機する。該タイマーがタイムアウトを起こした場合（ステップＳ１００３）、該ＤＶＣ２０２は、該タイムアウトに基づき、接続確認メッセージをＰＣ２０３に送信するととともに（ステップＳ１００４）、上記タイマーを再び始動する（ステップＳ１００５）。もし、ＰＣ２０３において、ＯＳのフリーズ、ローカルカメラ制御アプリケーションのハングアップなどが原因で該電源オフ要求が送信できない場合など、該接続確認メッセージに対する応答が無かった場合、上記タイマーはタイムアウトを起こす（ステップＳ１００６）。所定時間が経過した後、ＤＶＣ２０２はＤＶＣ２０２の電源をオフにする（ステップＳ１００７）。
【００４４】
以上の説明から明らかなように、本実施形態によれば、ＤＶＣ２０２内の温度が設定値以上になってから所定時間が経過した後であって、ＰＣ２０３とＰＣ２０８との通信接続が確立していない場合にＤＶＣ２０２の電源をオフにするようにすることで、長時間の高温下での長時間の撮影を回避しつつ、利用者がシステムを利用している最中に撮像装置の電源がオフにされてしまうといった不都合をも回避することが可能となる。
【００４５】
[他の実施形態]
なお、本発明は、複数の機器（例えばホストコンピュータ、インタフェイス機器、リーダ、プリンタなど）から構成されるシステムに適用しても、一つの機器からなる装置（例えば、複写機、ファクシミリ装置など）に適用してもよい。
【００４６】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。
【００４７】
この場合、記憶媒体から読出されたプログラムコード自体が前述した実施形態の機能を実現することになり、そのプログラムコードを記憶した記憶媒体は本発明を構成することになる。
【００４８】
プログラムコードを供給するための記憶媒体としては、例えば、フロッピ（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【００４９】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５０】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５１】
【図１】本発明の第１の実施形態に係る撮像装置の構成を示すブロック図である。
【図２】本発明の第１の実施形態に係るカメラ制御システムの構成を示す図である。
【図３】通常の電源オフシークエンスを示すシークエンスチャート図である。
【図４】本発明の第１の実施形態に係る撮像装置の動作を示すシークエンスチャート図である。
【図５】本発明の第２の実施形態に係る撮像装置の動作を示すシークエンスチャート図である。
【図６】本発明の第３の実施形態に係る撮像装置の動作を示すシークエンスチャート図である。
【図７】本発明の第４の実施形態に係る撮像装置の構成を示すブロック図である。
【図８】高温時の通常動作を示すシークエンスチャート図である。
【図９】本発明の第４の実施形態に係る撮像装置の高温時における動作を示すシークエンスチャート図である。
【図１０】本発明の第５の実施形態に係る撮像装置の高温時における動作を示すシークエンスチャート図である。
【符号の説明】
【００５２】
１０１・・・マイクロフォン部、１０３・・・レンズ部、１１１・・・デジタルインターフェース部（Ｄ−Ｉ／Ｆ部）、１１２・・・制御部、１１３・・・電源制御部、７１４・・・温度センサ
【図１】
2005354526.tif 000003
【図２】
2005354526.tif 000004
【図３】
2005354526.tif 000005
【図４】
2005354526.tif 000006
【図５】
2005354526.tif 000007
【図６】
2005354526.tif 000008
【図７】
2005354526.tif 000009
【図８】
2005354526.tif 000010
【図９】
2005354526.tif 000011
【図１０】
2005354526.tif 000012